(57)【特許請求の範囲】
【請求項１】
複数に分割されたアクイジションメモリのセグメントを切り換えながら、トリガに基づき波形データを取り込むシーケンシャルストア機能を有するデジタルオシロスコープにおいて、
シーケンシャルストア開始後に発生するトリガの数をカウントするトリガカウンタと、このトリガカウンタのカウント値が所定値に達した後にポストトリガ分の波形データ取り込みが完了するまで前記アクイジションメモリに前記所定の波形データを取り込むためのアドレスをカウントするアドレスカウンタと、このアドレスカウンタのカウント値がポストトリガ分の波形データ取り込み完了値に達するごとにカウント値を更新するセグメントカウンタを設け、
前記セグメントカウンタのカウント値更新とともに前記アクイジションメモリのセグメントを切り換えて前記アドレスカウンタのカウント値が前記ポストトリガ分の波形データ取り込み完了値に達するまでリング状に波形データを取り込むことを特徴とするデジタルオシロスコープ。
【請求項２】
さらに、前記アドレスカウンタのカウント値が前記セグメントカウンタのカウント値更新よりもプリトリガ分進むとカウント値を更新する先頭位置セグメントカウンタと、トリガ発生時の前記アドレスカウンタのカウント値またはそのカウント値から求められるセグメント最終アドレスとトリガ発生時の前記先頭位置セグメントカウンタのカウント値を前記トリガカウンタのカウント値と関連付けて格納するアドレス関連格納メモリを設け、
先頭の波形データが格納されたセグメントと各セグメントの最終アドレスを求め、各セグメントの最終アドレスを過ぎる毎にセグメントを１つ移動しながら１波形分の波形データを読み出すことを特徴とする請求項１記載のデジタルオシロスコープ。
【発明の詳細な説明】
【技術分野】
【０００１】
本発明は、デジタルオシロスコープに関し、詳しくは、シーケンシャルストア機能におけるトリガデッドタイムの改善に関する。
【０００２】
デジタルオシロスコープの機能の一種に、シーケンシャルストア機能がある。この機能は、波形データを取り込むアクイジションメモリをいくつかのセグメントに分割し、次々にセグメントを移動しながら設定した回数分取り込む機能である。通常、指定回数分取り込みが終わるまでアクイジション以外の波形表示動作などを一切行わずに、波形取り込みと次の取り込みまでの時間(アクイジションのデッドタイム)を最小にすることが多い。
【０００３】
特許文献１には、シーケンシャルストア機能を有するデジタルオシロスコープの構成が記載されている。
【０００４】
【特許文献１】特開２００１−２７２４２０号公報
【０００５】
図５はシーケンシャルストア機能を有する従来のデジタルオシロスコープの一例を示すブロック図である。Ａ／Ｄ変換器１は、アナログ測定波形信号Ａｉｎをデジタル信号Ｄｉｎに変換して１次処理回路２に入力する。１次処理回路２は、デジタル信号Ｄｉｎに対して、サンプリング間引き、ピーク検出、デジタルフィルタ処理などの所定のデータ処理を施す。１次処理回路２の出力データは、アクイジションメモリバス３を介してアクイジションメモリ４に格納される。
【０００６】
トリガ回路５は、アドレス制御回路６との間でトリガ情報の授受を行う。アドレス制御回路６は、アドレスカウンタ６１とセグメント制御回路６２で構成されていて、アドレス関連メモリ７との間でアドレス情報の授受を行うとともに、アクイジションメモリ４に必要なアドレスを出力する。アドレス関連メモリ７は、トリガアドレスやアクイジション終了アドレスなどを格納する。
【０００７】
表示処理回路８は、アクイジションメモリバス３に接続されていて、アクイジションメモリ４から読み出される波形データに基づいて、表示器９に波形を表示するための波形表示データを生成する。
【０００８】
図６は、図５の構成におけるデータアクイジションの動作例を説明するタイミングチャートである。アクイジションが開始されて、アドレスカウンタ６１がプリトリガ分進んでプリトリガ分のデータを取り込んだ後、アドレス制御回路６はトリガ回路５に対してトリガ出力を許可する。トリガ回路５からトリガが出力された時点からアドレスカウンタ６１がポストトリガ分進んだところまでポストトリガ分のデータを取り込み、一連のデータアクイジション動作を終了する。
【０００９】
このとき、トリガが発生しなければアクイジションメモリ４をリング状に使い、古いデータを書き替えながらデータを格納し続ける。アクイジションが終了すると、トリガアドレスまたはアクイジション終了アドレスから取り込んだデータの先頭(トリガアドレスからプリトリガ分遡った点、または終了アドレスからアクイジションデータ分遡った点)を求め、データを順次読み出して波形表示データを生成し、表示器９に波形を表示する。
【００１０】
従来のシーケンシャルストアは、１回のアクイジションで見ると上記の動作と同じである。シーケンシャルストア時はアクイジションが１回終了する毎にセグメントを１個ずつずらしていき、次のアクイジションを行う。このセグメント情報とアドレスカウンタ値からアクイジションメモリ４に対する実際のアドレスが算出される。アクイジションに関しては、通常のアクイジション動作をセグメントをずらしながら繰り返すだけなので、１回分のアクイジションデータは全て同じセグメント内に収まっている。したがって、表示データを生成するためにアクイジションデータを読み出す際にも、各セグメント毎に通常のアクイジション時と同じようにデータを読み出せばよい。
【００１１】
ところで、従来のシーケンシャルストアは、アクイジションとアクイジションの間で波形表示などの処理を一切行わずに、指定した回数分連続してアクイジションを行ってから波形表示などの処理を行うことにより、アクイジションとアクイジションの間のアクイジションのデッドタイムを最小にするようにしていた。
【００１２】
ところが、ｎ回目のトリガの発生から（ｎ＋１）回目のトリガが有効になるまでには、ｎ回目のポストトリガと（ｎ＋１）回目のプリトリガの合計(つまり１回分のアクイジションデータ分)を取り込まなければならない。したがって、アクイジションのデッドタイム＋１回分のアクイジションデータを取り込む時間分だけトリガインヒビット時間が生じることになり、これがトリガデッドタイムとなる。
【００１３】
図７のタイミングチャートを用いてこのトリガデッドタイムを説明する。図７では、入力波形がトリガレベルを下から上に横切った各位置ａ〜ｅでトリガ条件が成立したものする。＃０のアクイジションを開始してプリトリガ分の波形データを取り込んだところでトリガイネーブルとなり、直後のトリガ条件成立でトリガが発生する。その後、ポストトリガ分の波形データを取り込んで＃０のアクイジションは終了する。
【００１４】
次に＃１のアクイジションが開始される(図ではアクイジションのデッドタイムは省略してある)。＃０と同様にプリトリガ分の波形データを取り込んでトリガイネーブルとなり、直後のトリガ条件成立でトリガが発生し、同様にアクイジションを続けていく。
【００１５】
ここで、＃０のトリガ発生から＃１のトリガイネーブルの間はトリガインヒビットの状態にあるので、位置ｂと位置ｃのトリガ条件成立ではトリガは発生しない。同様に、位置ｄではトリガが発生しても位置ｅではトリガが発生しない。
【００１６】
このようにトリガ条件が成立しているにもかかわらずトリガが発生しないことが多いと、必要な現象を捕捉できる確率が減ってしまうことになる。
【００１７】
そこで、たとえば特許文献１のように、低速サンプリングと高速サンプリングを同時に行い、低速サンプリング側はロールモードで表示しながら高速サンプリング側ではセグメント分割してトリガ近傍のデータを取得し、これらを同時に表示させる。高速サンプリング側ではトリガが発生してポストトリガ分の波形データを格納し終わると次のセグメントに移動し、２番目のセグメント以降はセグメントの移動と同時に次のトリガ発生が可能となる。
【００１８】
そのセグメントでプリトリガ分の波形データを取り終わる前にトリガが発生すると、そのセグメント内ではプリトリガ分の波形データが不足するが、そのときは前のセグメントに不足分の波形データが格納されているので、アクイジション終了後に前のセグメントから不足分の波形データをコピーすることで不足分を補充することができ、プリトリガ分のデッドタイムを無くすことができる。
【発明の開示】
【発明が解決しようとする課題】
【００１９】
しかし、従来のシーケンシャルストアによれば、ほぼ１アクイジションに要する時間分のトリガデッドタイムが存在する。シーケンシャルストア機能は、指定回数分のアクイジションを終了するまで波形が表示されないもののデッドタイムが小さいというメリットがあるにもかかわらず、従来の構成ではこのメリットを最大限に生かしきれていない。
【００２０】
また、特許文献１の方式では、シーケンシャルストアのデッドタイムに着目すると、前のポストトリガ分のデータを格納し終わり次のセグメントに移ると同時に次のトリガが可能になるので、次のセグメントのプリトリガ分はデッドタイムにはならないものの前のセグメントのポストトリガ分はデッドタイムとして残ってしまう。また、プリトリガが不足するときには前のセグメントからデータをコピーしなければならない。
【００２１】
さらに、トリガデッドタイムにポストトリガ分が含まれるということは、トリガディレイをかけてアクイジションする場合には、トリガディレイ分もトリガデッドタイムに含まれてしまう。トリガディレイは、ポストトリガ＋トリガディレイ分を取り込んだ時点でアクイジションを終了する動作になるので、アクイジション動作としては、トリガディレイ分だけポストトリガが増えたような動作になる。
【００２２】
本発明は、このような課題を解決するものであり、その目的は、複数のセグメントに分割されたアクイジションメモリにシーケンシャルストアする際のトリガデッドタイムを最小にすることによって、より確実に所望の現象を捕捉できるデジタルオシロスコープを実現することにある。
【課題を解決するための手段】
【００２３】
このような課題を達成するために、本発明のうち請求項１記載の発明は、
複数に分割されたアクイジションメモリのセグメントを切り換えながら、トリガに基づき波形データを取り込むシーケンシャルストア機能を有するデジタルオシロスコープにおいて、
シーケンシャルストア開始後に発生するトリガの数をカウントするトリガカウンタと、このトリガカウンタのカウント値が所定値に達した後にポストトリガ分の波形データ取り込みが完了するまで前記アクイジションメモリに前記所定の波形データを取り込むためのアドレスをカウントするアドレスカウンタと、このアドレスカウンタのカウント値がポストトリガ分の波形データ取り込み完了値に達するごとにカウント値を更新するセグメントカウンタを設け、
前記セグメントカウンタのカウント値更新とともに前記アクイジションメモリのセグメントを切り換えて前記アドレスカウンタのカウント値が前記ポストトリガ分の波形データ取り込み完了値に達するまでリング状に波形データを取り込むことを特徴とする。
【００２４】
請求項２記載の発明は、請求項１記載のデジタルオシロスコープにおいて、さらに、前記アドレスカウンタのカウント値が前記セグメントカウンタのカウント値更新よりもプリトリガ分進むとカウント値を更新する先頭位置セグメントカウンタと、トリガ発生時の前記アドレスカウンタのカウント値またはそのカウント値から求められるセグメント最終アドレスとトリガ発生時の前記先頭位置セグメントカウンタのカウント値を前記トリガカウンタのカウント値と関連付けて格納するアドレス関連格納メモリを設け、
先頭の波形データが格納されたセグメントと各セグメントの最終アドレスを求め、各セグメントの最終アドレスを過ぎる毎にセグメントを１つ移動しながら１波形分の波形データを読み出すことを特徴とする。
【発明の効果】
【００２５】
本発明によれば、複数のセグメントに分割されたアクイジションメモリにシーケンシャルストアする際のトリガデッドタイムを最小にすることができ、より確実に所望の現象を捕捉できるデジタルオシロスコープを実現できる。
【発明を実施するための最良の形態】
【００２６】
以下、本発明について、図面を用いて詳細に説明する。図１は本発明の主要部分の一実施例を示すブロック図であり、図５と共通する部分には同一の符号を付けている。図５との相違点はアドレス制御部１００の構成にある。
【００２７】
図１のアドレス制御部１００において、アドレスカウンタ１０１のカウントデータは、アクイジションメモリアドレス生成部１０２、セグメント終了検出部１０３、先頭位置検出用セグメント終了検出部１０４、セグメント終了アドレス生成部１０５およびトリガイネーブル生成回路１０６に入力されている。
【００２８】
アクイジションメモリアドレス生成部１０２は、生成したアドレスをアクイジションメモリ４に出力する。
【００２９】
セグメント終了検出部１０３の出力信号はセグメントカウンタ１０７に入力され、セグメントカウンタ１０７のカウントデータはアクイジションメモリアドレス生成部１０２およびアドレス関連メモリ制御部１０８に入力されている。
【００３０】
先頭位置検出用セグメント終了検出部１０４の検出信号は先頭位置セグメントカウンタ１０９に入力され、先頭位置セグメントカウンタ１０９のカウントデータはアドレス関連メモリ制御部１０８に入力されている。
【００３１】
セグメント終了アドレス生成部１０５の出力アドレスも、アドレス関連メモリ制御部１０８に入力されている。
【００３２】
トリガイネーブル生成回路１０６で生成されたトリガイネーブル信号は、トリガ回路５に出力されている。
【００３３】
トリガ回路５のトリガ信号は、トリガイネーブル生成回路１０６、アドレス関連メモリ制御部１０８、先頭位置セグメントカウンタ１０９、セグメント終了アドレス生成部１０５およびトリガカウンタ１１０に入力されている。
【００３４】
先頭位置セグメントカウンタ１０９のカウントデータは、アドレス関連メモリ制御部１０８に入力されている。
【００３５】
トリガカウンタ１１０のカウントデータは、トリガイネーブル生成回路１０６およびアドレス関連メモリ制御部１０８に入力されている。
【００３６】
アドレス関連メモリ制御部１０８から、比較イネーブル信号がセグメント終了検出部１０３に入力されるとともに、セグメント終了アドレスがセグメント終了検出部１０３および先頭位置検出用セグメント終了検出部１０４に入力されている。また、アドレス関連メモリ制御部１０８は、アドレス関連メモリ７との間でアドレス情報の授受を行う。
【００３７】
ここで、アクイジションメモリ４の各セグメントは２のべき乗のデータ数とし、アドレスカウンタ１０１はバイナリカウンタで構成する。たとえば、１０００点の波形データをアクイジションする場合は１セグメント当たり１０２４点とする。このバイナリカウンタの部分は、最初のアクイジション開始から最後(指定回数：Ｎ回分)のアクイジション終了までずっとカウントし続ける。
【００３８】
つまり、従来のシーケンシャルストアでは、トリガが発生するとポストトリガ分の波形データをカウントしたところでその回のアクイジションが終了し、次のアクイジションは次のセグメントの先頭アドレスから波形データを格納することを繰り返していたが、本発明の構成ではＮ回分のアクイジションが終わるまでアドレスカウンタ１０１(バイナリカウンタ)はカウントし続け、Ｎ回目のトリガが発生するとポストトリガ分の波形データをカウントしてアクイジションを終了することになる。
【００３９】
トリガイネーブル信号は最初のアクイジションのプリトリガ分の波形データを取り込み終わったところでイネーブルとなり(この動作そのものは従来と同じ)、基本的にはＮ回目のトリガ発生までイネーブル状態を維持する。したがって、トリガの回数をカウントするトリガカウンタ１１０を設けている。
【００４０】
なお、「基本的には」というのは、実際には各回のトリガ発生直後に必要最小限のトリガ禁止時間を設けなければならないためである。また、「必要最小限」というのは、たとえばトリガ用のフリップフロップを用いるような場合に必要なトリガパルス幅を経過した後で一旦リセット→リセット解除して再度トリガが可能になるまでの時間や、たとえばトリガとサンプリングクロックの時間測定を行うような場合における測定に必要な時間などである。この方法によれば、トリガ回路側は通常の構成のままで実現可能である。
【００４１】
このように構成することにより、図２に示すように、＃４のようにプリトリガ分を取り終わる前に位置eでトリガが可能となるばかりでなく、＃１および＃２のように＃０のポストトリガを格納中でも位置ｂおよび位置ｃでトリガ発生が可能となる。
【００４２】
これらの具体的な動作について説明する。
アドレスカウンタ１０１とセグメントカウンタ１０７および先頭位置セグメントカウンタ１０９のカウント値を０にして、最初の波形データのアクイジションを開始する。最初のアクイジションが開始されると、プリトリガ分の波形データを取り込んだところでトリガイネーブルとなり、トリガ待ちの状態に入る。セグメント内ではデータを書き込みセグメント内がいっぱいになると先頭アドレスに戻るようにして同じセグメント内をリング状に古いデータを書替えながらデータを格納していく。
【００４３】
トリガが発生すると、その瞬間のアドレスをトリガアドレスとし、それにポストトリガ分を加算した値をそのセグメントの終了アドレスとして、アドレス関連メモリ７に格納する。なお、終了アドレスが求まればいいので、アドレス関連メモリ７にトリガアドレスを格納して使用する際に、ポストトリガ分を加算してもよい。また、このとき、先頭位置セグメントカウンタ１０９の値もアドレス関連メモリ７に格納しておく。トリガの発生回数は別にカウントしているので、上記の情報は対応するトリガＮｏ．毎(この場合＃０)に格納される。
【００４４】
トリガがかかると、セグメント終了検出部１０３は、比較イネーブル信号に基づき、先に求めたそのセグメント（＃０）の終了アドレスとアドレスカウンタ１０１の値の比較を始める。この値が一致したところがそのセグメント（＃０）の最後のデータとなる。アドレスカウンタ１０１がさらにインクリメントするタイミングでセグメントカウンタ１０７をインクリメントし、次のセグメント（＃１）に移動する。このとき、図２の例にある位置ｂ、位置ｃのように次のセグメントに移っているかどうかにかかわらず必要最小限のトリガインヒビット時間を経過した後にトリガ条件が成立するとトリガが発生する。
【００４５】
セグメント終了検出部１０３による終了アドレスとアドレスカウンタ１０１の比較について説明する。位置ｂはトリガＮｏ．＃１であって、このタイミングでは＃１の終了アドレスと＃１の先頭位置セグメントカウンタ１０９の値がアドレス関連メモリに格納され、位置ｃでは＃２の情報が格納される。前述の比較(書き込みセグメントの切替え)は、そのセグメントのトリガが発生した後でだけ行われる。したがって、図２の例において書き込みセグメントが＃０→＃１、＃１→＃２または＃２→＃３に切り替わったところでは、すでにそのセグメントのトリガが発生した後なので、セグメントが切り替わった瞬間から比較が行われるが、＃３→＃４に切り替わったときにはまだ＃４のトリガが発生していないので、＃４のトリガの発生を待って比較が行われる。なお、これらのセグメント終了検出部１０３による比較動作は、アドレス関連メモリ制御部１０８から入力される比較イネーブル信号により制御される。
【００４６】
先頭位置セグメントカウンタ１０９は、書き込みセグメントに対してプリトリガ分だけ遅れてインクリメントされていく。これは、アドレスカウンタ１０１よりもプリトリガ分だけ遅れて進む別のカウンタを用意してもよいし、アドレスカウンタ１０１からプリトリガ分だけ減算した値を使用してもよいが、いずれにしてもアドレスカウンタ１０１からプリトリガ分だけ少ない値とそのセグメントの終了アドレスを比較し、一致したところで値をインクリメントする。この比較についても、そのセグメントのトリガが発生した後でだけ行われる。これを繰り返して指定した回数（Ｎ回）分のトリガが発生すると、トリガをディスエーブルにし、ポストトリガ分の取り込みが終わるとアクイジションを終了する。
【００４７】
次に、取り込んだ波形の表示方法について説明する。
図２の例の各セグメントのメモリ４に格納されたデータをトリガ基準に並べると、表示波形は図３の左側のようになる。各波形の右端は、そのセグメントの終了アドレスのデータとなる。図中の網掛けの領域は、そのセグメントにデータが存在しないことを示している。網掛けの領
域のデータはそのセグメントよりも前のセグメントの中に存在するので、そこからデータを読み出すことによって、図３の右側のように正しい波形を作ることができる。
【００４８】
表示波形データを作成する際には、書き込み時に使った書き込みセグメントを求める仕組みを使って読み出しセグメントを求める。図４で＃２のセグメントの波形データを作成する場合を例にとって説明する。＃２の表示波形データを作成する時には、＃２の先頭データ位置がどのセグメントにあるのかアドレス関連メモリ７から読み出す。読み出されるセグメントＮｏ．は＃０であるので読み出しセグメントに０をセットし、アドレスカウンタ１０１は先頭アドレス(表示しようとしているセグメント(＃２)の終了アドレスからレコード長(プリトリガ＋ポストトリガ)分だけ減算したアドレス値)をセットする。ここで読み出されるデータは先頭データそのものとなる。また、現在の読み出しセグメント番号に相当するセグメント(＃０)の終了アドレスも読み出し、アドレスカウンタ１０１との比較を行う。
【００４９】
このようにして先頭アドレスからアドレスカウンタ１０１をインクリメントしながら表示すべきデータを読み出していき、アドレスカウンタ１０１が先程読み出した＃０の終了アドレスと一致すると、次にアドレスカウンタ１０１がインクリメントされるタイミングで読み出しセグメントがインクリメントされ＃１となる。読み出しセグメントの値が変わるので、そのセグメント（＃１）の終了アドレスが読み出される。アドレスカウンタ１０１はセグメントの切り替わりでリセットされることなく引き続きカウントアップし、アドレスカウンタと１０１先程読み出された＃１の終了アドレスとの比較が始まる。アドレスカウンタ１０１をインクリメントしながら表示すべきデータを読み出し、これを表示しようとしているセグメント（＃２）の終了アドレスになるまで続ける。これで表示すべきセグメント（＃２）の波形が生成される。仮に＃０のように全て同じセグメント内にデータがあっても、上記のシーケンスで波形データを生成できるので、場合分けをする必要はない。
【００５０】
これにより、デジタルオシロスコープのシーケンシャルストア機能(Ｎ回のアクイジション)において、アクイジションメモリ４のアドレス用バイナリカウンタ１０１をＮ回目のポストトリガ分取り終わるまで連続してインクリメントさせ、各トリガのポストトリガ分を取り終ったところでセグメントカウンタ１０７をインクリメントする構成にすることにより、前回のアクイジションの終了や今回のプリトリガの取り込み完了を待たずに次々とトリガを発生させることができ、トリガデッドタイムを最小にすることができる。
【００５１】
この際、各セグメントの先頭データが実際にはどのセグメントに記憶されているのかと各セグメントの最終アドレスを記憶しておくことにより、波形表示データを生成する際にその情報を元に該当するデータを順次読み出すことができ、セグメント内の先頭部分がそれ以前のセグメント内に格納されている場合にも１アクイジション分の波形を表示することができる。
【００５２】
この結果、シーケンシャルストアのトリガデッドタイムは、時間軸設定(プリトリガ、ポストトリガを取り込むのに必要な時間)やトリガディレイ等の設定には関係なく、システムで必要な最小限の時間にすることができる。つまり、この最小限のトリガ不許可時間を超える周期のトリガに対しては、全て取り込むことが可能になる。
【００５３】
なお、シーケンシャルストアの取り込みが終了した後にセグメント内の先頭部分にデータの不足する領域があるところは、それ以前のセグメントからデータをコピーする構成にしてもよい。
【００５４】
コピーをすることにより、各セグメントは波形データが完全にできあがるので、従来のシーケンシャルストアで取り込んだ後と全く同じ扱いが可能になる。
【００５５】
また、コピーにあたっては、コピー元とコピー先はセグメントが違うだけでセグメント内のアドレスそのものは共通なので制御がしやすい。すなわち、波形表示データを作る方法と同様に順次読み出して当該セグメントの同じアドレスに書き込んでいけばよい。
【００５６】
以上説明したように、本発明によれば、複数に分割されたアクイジションメモリにシーケンシャルストアする際のトリガデッドタイムを最小にすることができ、より確実に所望の現象を捕捉できるデジタルオシロスコープが実現できる。
【図面の簡単な説明】
【００５７】
【図１】本発明の主要部分の一実施例を示すブロック図である。
【図２】図１の動作を説明するタイミングチャートである。
【図３】図１の動作説明図である。
【図４】図１の動作説明図である。
【図５】シーケンシャルストア機能を有する従来のデジタルオシロスコープの一例を示すブロック図である。
【図６】図５の構成におけるデータアクイジションの動作例を説明するタイミングチャートである。
【図７】図５の動作を説明するタイミングチャートである。
【符号の説明】
【００５８】
４  アクイジションメモリ
５  トリガ回路
７  アドレス関連メモリ
１００  アドレス制御部
１０１  アドレスカウンタ
１０２  アクイジションメモリアドレス生成部
１０３  セグメント終了検出部
１０４  先頭位置検出用セグメント終了検出部
１０５  セグメント終了アドレス生成部
１０６  トリガイネーブル生成回路
１０７  セグメントカウンタ
１０８  アドレス関連メモリ制御部
１０９  先頭位置セグメントカウンタ
１１０  トリガカウンタ
【図１】
0005176534.tif 000002
【図２】
0005176534.tif 000003
【図３】
0005176534.tif 000004
【図４】
0005176534.tif 000005
【図５】
0005176534.tif 000006
【図６】
0005176534.tif 000007
【図７】
0005176534.tif 000008